(57)【特許請求の範囲】
【請求項１】
長尺状の台紙にラベルが一定間隔で剥離可能に貼付されたラベル用紙を引き出し、引き出されたラベル用紙の通過によって前記台紙から前記ラベルを剥離する剥離部材と、
該剥離部材を通過して剥離されたラベルを保持するラベル保持部と、
該ラベル保持部に保持されたラベルを吸着・移動して被貼付対象物に貼付するアプリケータを備え、
前記ラベル保持部は、ラベル粘着面と接触してラベルをラベル排出方向略水平に保持する接触部材を備え、
前記剥離部材を通過する台紙からラベルを引き離すように、固定枠に対してラベル排出方向に沿う水平面と交差する上下方向に揺動可能に支持されていると共に、
固定枠との間に揺動範囲を規制する手段を設け、
更に弾性部材でラベル保持部の剥離部材寄りを常時上方へ付勢し、
前記アプリケータの下降によるラベル吸着動作の押圧力で前記ラベル保持部が下方に揺動され、
アプリケータのラベル貼付移動により前記ラベル保持部が前記弾性部材の弾発力で揺動範囲の上限位置である初期位置に自動復帰する
ことを特徴とするラベル貼付装置。
【発明の詳細な説明】
【技術分野】
【０００１】
本発明はラベルロール等のラベル用紙を用いたラベル貼付装置に係り、詳しくはラベル用紙の台紙に剥離可能に貼付されたラベルを安定して剥離し、商品に貼付することができるラベル貼付装置に関する。
【背景技術】
【０００２】
長尺状の台紙上にラベルが一定の間隔をおいて剥離可能に貼付されたロール巻のラベル用紙（ラベルロールという）を、ラベルロールセット部から順次引き出し、剥離部材（ディスペンサー）を通過させて台紙からラベルを剥離し、剥離したラベルはラベル保持部で保持し、そのラベルをラベル吸着保持機構を備えたアプリケータで吸着・移動して被貼付対象物（商品）に貼付するラベル貼付装置が知られている（例えば、特許文献１参照）。
そして、従来のラベル貼付装置におけるラベル保持部は、所定位置に固定されており、しかも、ラベル用紙の巻方向により、ラベル自身に巻き癖がついているため、ラベル用紙が剥離部材を通過して台紙からラベルが剥離される時、該ラベルは上向き或いは下向きに湾曲し、反り返ってしまい、アプリケータでのラベル吸着力が低下するので、ラベルを移動する際にラベルが台紙との糊で引っ張られてアプリケータがラベルを正しく保持できなくなるという問題を有する。
【０００３】
又、台紙に貼付されているラベルが小さい場合は、該ラベルの粘着面（糊面）がラベル保持部と接触する面積が小さいため、ラベル保持部がラベルを保持しきれず、糊切れが悪いラベルは該ラベルの後端（ラベルの進行方向後側）が台紙或いは剥離部材に付着し、ラベルがラベル保持部上に保持されず、アプリケータでラベルを吸着移動させることができない場合が発生する。その結果、ラベル貼付不良の発生頻度が高くなるという問題を有する。
【０００４】
【特許文献１】特開平９−８６５２６号公報
【発明の開示】
【発明が解決しようとする課題】
【０００５】
本発明は上記した従来の技術が有する問題点に鑑みてなされたもので、台紙から剥離されたラベルを保持するラベル保持部、及びラベル保持部のラベルを吸着・移動して被貼付対象物（商品）に貼付するアプリケータを備えたラベル貼付装置において、台紙との糊切れが悪くても台紙から確実にラベルを剥離することができる機構を備えたラベル貼付装置を提供することを目的とするものである。
【課題を解決するための手段】
【０００６】
上記課題を解決するために本発明が講じた技術的手段は、台紙から剥離されたラベルを保持するラベル保持部の位置を、剥離部材に対して変化させ、それにより台紙からラベルを安定して剥離できるようにした。
即ち、長尺状の台紙にラベルが一定間隔で剥離可能に貼付されたラベル用紙を引き出し、引き出されたラベル用紙の通過によって前記台紙から前記ラベルを剥離する剥離部材と、該剥離部材を通過して剥離されたラベルを保持するラベル保持部と、該ラベル保持部に保持されたラベルを吸着・移動して被貼付対象物に貼付するアプリケータを備え、前記ラベル保持部は、保持しているラベルを台紙から引き離すように、固定枠に対して揺動可能に支持した構成を特徴とする。
前記揺動可能に支持されたラベル保持部を剥離部材に対して位置を変化移動させる手段は、ラベル保持部自体が備えるアクチュエータ（例えば、電磁ソレノイド、エアシリンダ等）によって行う方法、或いは外力によって行う方法の何れでもよい。
【０００７】
外力によってラベル保持部を揺動させる方法としては、例えば、ラベル保持部に保持されたラベルを受け取り、商品に貼付するアプリケータのラベル吸着動作（上下動作）による押圧力で行うことができる。
即ち、ラベルを吸着・移動する機構を備えたアプリケータが、ラベル保持部上に排出されつつあるラベルを吸着保持する為にラベル保持部に向かって下降し、ラベル保持部に当接する動作によって下方に移動させる。
【０００８】
又、前記ラベル保持部の揺動方向は、ラベル排出方向に沿う水平面と交差する上下方向（略鉛直方向）に限らず、ラベル排出方向に沿う水平面と交差する上下方向＋ラベル排出方向の両方向に揺動するようにしてもよい。尚、台紙からラベルを剥離するためだけであれば、ラベル保持部を初期位置に対して上方向に揺動（移動）させてもよいが、剥離したラベルをアプリケータで吸着・移動して被貼付対象物（商品）に貼付するという一連の動作を考慮した場合は、初期位置に対して下方向に揺動（移動）させるのが好適である。
【０００９】
又、ラベル貼付装置はラベルが台紙に一定間隔で貼付されたラベル用紙を使用し、連続して搬送供給される被貼付対象物（商品）にラベルを貼付するため、前記ラベル保持部はラベルがアプリケータに吸着保持された後は、次に排出されてくるラベルに備えて初期位置に戻る必要がある。
移動可能に支持されたラベル保持部を揺動後、初期位置へ復帰させる方法としては、前記したラベル保持部自体が備えるアクチュエータの動作で復帰させる方法の他に、ラベル保持部を固定枠に対して回動軸で揺動可能に支持し、板バネやコイルスプリング等の弾性部材の弾発力で強制的に復帰させる方法等、何れの方法でもよい。
【００１１】
その具体的構成は、例えば、弾性部材によって強制的に自動復帰させるラベル保持部は、ラベル粘着面と接触してラベルをラベル排出方向略水平に保持する接触部材を備え、且つ該ラベル保持部のラベル排出方向に沿った中程位置を前記固定枠に回動軸で揺動可能に支持すると共に、固定枠との間に揺動範囲を規定する手段を設け、更に弾性部材でラベル保持部の剥離部材寄りを常時上方へ付勢し、前記アプリケータの下降によるラベル吸着動作によりラベル保持部が下方に押圧移動され、アプリケータのラベル貼付移動によりラベル保持部が弾性部材の弾発力で揺動範囲の上限位置である初期位置に自動復帰するように構成する。
【００１２】
前記ラベル保持部におけるラベルを保持する接触部材は、台紙から剥離されて排出されたラベルを、粘着面の接着力を利用して一時的に水平に接着保持するもので、アプリケータの吸着力によってラベルが吸着された時、該ラベルは接触部材との接着から離れる必要がある。その形態とした、例えばソロバン玉様のローラを軸に回転可能に挿通し、それを複数列配置したもの（特開平９‐８６５２６号公報参照）が挙げられる。
【００１３】
また、前記ラベル保持部は何れの復帰方式にあっても、ラベル保持部の揺動範囲（初期位置及び移動位置）は規定されている必要がある。揺動範囲を規定する方法としては、ラベル保持部と固定枠との間に揺動範囲を規定する手段を設ける。その規定手段は、例えばラベル保持部を支持する固定枠に長孔を開設し、他方、揺動するラベル保持部側に前記長孔に嵌入する軸（又はピン等）を設ける形態、或いは逆の形態などが挙げられる。
【００１４】
又、本発明が対象とするラベル貼付装置は、台紙に貼付されたラベルに所定事項を印字して発行する印字手段を備えたラベル貼付装置、及び予め所定事項が印字されたラベルが台紙に貼付されたラベル用紙を用いてラベルを貼付する印字手段を備えないラベル貼付装置の何れにも適用できるものである。
【００１５】
上記手段によれば、引き出されたラベル用紙が剥離部材を通過することでラベルは台紙に対し進行方向前側から順次剥離される。そして、剥離されたラベルは剥離部材より該ラベルの排出方向前方に配置されたラベル保持部上に排出され、ラベル裏面の粘着面によってラベル保持部に保持される。この時、台紙に対するラベルの糊切れが悪くラベルの後端が台紙に付着したままであっても、ラベルを保持するラベル保持部が剥離部材に対して下方に揺動（移動）することで、ラベル後端を台紙から完全に剥離することができる。
そして、ラベル保持部の揺動をアプリケータのラベル吸着動作によって行う場合は、別途アクチュエータ等を設けることなく、アプリケータの動作によってラベル保持部を確実に揺動でき、ラベルの剥離を確実に行うことができる。しかも、ラベル保持部に保持されたラベルはアプリケータで押えられ、三者が一体となって下方に揺動（移動）するため、ラベルの剥離を更に確実に行うことができる。
更に、ラベル保持部の揺動方向を上下方向とした場合は、ラベル保持部をアプリケータの移動と一緒に移動させることができる。それにより、ラベルはラベル保持部とアプリケータで挾着保持され、台紙から確実に剥離される。
【発明の効果】
【００１６】
本発明のラベル貼付装置は、ラベルを保持するラベル保持部が剥離部材に対して揺動（移動）することで、ラベル後端を台紙から完全に剥離することができる。それにより、安定したラベル剥離とラベル貼付を実現することができる。
そして、ラベル保持部の揺動をアプリケータの動作によって行う構成とした場合は、ラベル保持部を揺動させるためのアクチュエータ等が不要となり、構造簡単でコストを低減することができる。しかも、ラベル保持部に保持されたラベルはアプリケータで押えられ、三者が一体となって下方に揺動（移動）するため、ラベルの剥離を更に確実に行うことができる。
【００１７】
更に、ラベル保持部の揺動方向を上下方向或いはラベル排出方向とした場合は、ラベルをラベル保持部とアプリケータで挾着保持して移動するため、より確実にラベルを台紙から剥離することができる。
又、剥離部材に対して揺動（移動）するラベル保持部は、重量バランス（偏荷重）或いは弾性部材による弾発力で移動位置から初期位置へ自動的に復帰される為、連続したラベル貼付にも十分対応することができる。
【発明を実施するための最良の形態】
【００１８】
以下、本発明に係るラベル貼付装置の実施の形態の一例を図面に基づいて説明する。
図１は、ラベル貼付装置をストレッチ包装機に組み込んだ状態を示す斜視図で、図中、Ａはストレッチ包装機で、被貼付対象物（商品）が搬入されると、その被貼付対象物をストレッチフィルムで自動的に包装を行い、排出路に包装済みの被貼付対象物を排出する。そして、そのストレッチ包装機Ａの包装を完了した被貼付対象物が排出される排出路の近傍にラベル貼付装置Ｂが配置され、被貼付対象物にラベルを貼付し得るようになっている。
【００１９】
ラベル貼付装置Ｂは、長尺状の台紙１ａにラベル１ｂが一定間隔で剥離可能に貼付されたロール巻のラベル用紙（ラベルロール）１を回転可能に支持するラベルロールセット部２と、そのラベルロールセット部２から引き出したラベル用紙１のラベル１ｂに所定事項を印字する印字手段３と、印字済みのラベル１ｂ’を台紙１ａから剥離する剥離部材４と、ラベル１ｂ’が剥離された台紙１ａを巻き取る台紙巻き取り軸５を備え、前記台紙巻き取り軸５はモータ等で構成された駆動手段（図示省略）によって駆動回転するように構成されている。
【００２０】
又、前記剥離部材４より下流側には、該剥離部材４で剥離されたラベル１ｂ’を略水平に保持するラベル保持部６が、固定枠７を介して揺動可能に設けられ、更にそのラベル保持部６の側方位置には該ラベル保持部６に保持されたラベル１ｂ’を吸着保持して移動し、前記包装済みの被貼付対象物Ｗに貼付するアプリケータ８が設けられている。
前記固定枠７は、図３及び図４に示すように、金属板を平面視略コの字形に屈曲形成して構成され、その固定枠７の固定片７ａがラベル貼付装置Ｂのケースに開設されたラベル発行口の上部に止ネジ２２で固定され、前記固定片７ａの長手方向両側に略直角に屈曲連設した支持片７ｂ，７ｂ’間にラベル保持部６が揺動可能に支持されている。
【００２１】
前記ラベル保持部６は、ラベル１ｂ’を保持する接触部材を備えた固定保持部１０と、ラベル１ｂ’を保持する接触部材を備えた可動固定部１１とで構成され、その固定保持部１０と可動保持部１１が前記固定枠７の支持片７ｂ，７ｂ’間に並列に配置されている。
【００２２】
前記固定保持部１０は、取付プレート９に長短２種類の軸１２ａ，１２ｂが該取付プレート９の長手方向に沿って交互に並列配置されて片支持固定され、その軸１２ａ，１２ｂの開放端側に接触部材１３が回転可能に嵌着されると共に、止め輪（図示省略）で軸方向に移動不能且つ抜け落ちないように保持されて構成されている。
前記軸１２ａ，１２ｂに嵌着される接触部材１３は、塩化ビニールやＭＣナイロン等の合成樹脂材を用いて短円柱形状に形成され、且つ外周面は略二等辺三角形状に形成されてソロバン玉様に形成されている。そして、中心には軸１２ａ，１２ｂに嵌着する孔が開設されている。尚、接触部材１３の外周面形状は、略二等辺三角形に限らず、円弧形状（略Ｕ字形）でもよい。
【００２３】
前記可動保持部１１は、合成樹脂材で形成したスライドブロック１４に長短２種類の軸１５ａ，１５ｂが該スライドブロック１４の長手方向に沿って交互に並列配置されて片支持固定され、その軸１５ａ，１５ｂの開放端側に接触部材１３が回転可能に嵌着されると共に、止め輪（図示省略）で軸方向に移動不能且つ抜け落ちないように保持されて構成されている。
そして、上記可動保持部１１のスライドブロック１４は、前記固定保持部１０の取付プレート９と対向配置した略同形の取付プレート９’とを連結固定する支持軸１６及び該支持軸１６の位置から該取付プレート９’の長手方向に沿い所定間隔をおいた位置に片支持固定したガイド軸１７に軸方向摺動可能に嵌合支持されている。尚、可動保持部１１の摺動は、前記スライドブロック１４を手で押すことで簡単にスライドするが、ストレッチ包装機Ａの振動程度では動くことがない嵌め合いになっている。又、前記支持軸１６には取付プレート９とスライドブロック１４との間に位置させて接触部材１３が回転可能に取り付けられている。
【００２４】
即ち、前記可動保持部１１は支持軸１６及びガイド軸１７に沿って軸方向（ラベルの幅方向）に移動調整可能で、その移動調整はラベルの大きさ（横幅）に応じて調整する。
その移動調整の構造は、前記スライドブロック１４を収容保持するコの字型のストッパ１８ａと、そのストッパ１８ａをガイド軸１７に対して固定する固定ネジ１８ｂとで構成されている。そして、前記固定ネジ１８ｂは前記ストッパ１８ａの水平片を螺合し、該固定ネジの先端をガイド軸１７の外周面に圧着することでストッパ１８ａの移動を止め、固定ネジ１８ｂを緩めてガイド軸１７の外周面から離反させることでストッパ１８ａはガイド軸１７に沿って移動可能となり、スライドブロック１４を手で押すことでスライドし、ガイド軸１７上の任意の位置に移動し固定することができる。
【００２５】
前記取付プレート９、９’とその両取付プレート９，９’を連結する支持軸１６で、固定保持部１０と可動保持部１１が一体化されたラベル保持部６は、前記取付プレート９，９’の長手方向前側（支持軸１６の取り付け位置よりラベル排出方向に沿った前側））が前記固定枠７の支持片７ｂ，７ｂ’に回動軸１９で回動可能に軸支され、該取付プレート９，９’の長手方向後側、即ち支持軸１６が架設された側は、前記固定枠７に形成した揺動範囲を規制する手段２０に嵌合されている。
その規制手段２０は、固定枠７の支持片７ｂ，７ｂ’に前記回動軸１９を中心として略円弧状に切欠き形成したガイド溝で形成されている。それにより、ラベル保持部６は回動軸１９を中心として上下方向に揺動し、その揺動範囲は支持軸１６の軸端が前記規制手段（ガイド溝）２０の上部又は下部と当接する範囲である。尚、前記規制手段２０はガイド溝に限定されず、長孔（円弧長孔）でもよい。又、規制手段２０に嵌合する軸は支持軸１６に限定されず、支持軸１６とは別に取付プレート９，９’に固着してもよい。更に、軸と規制手段の溝（長孔）は、支持片７ｂ，７ｂ’と取付プレート９，９’に設けられていればよく、従って図示と逆の形態、即ち、支持片７ｂ，７ｂ’側に軸、取付プレート９，９’側に規制手段２０を設けてもよい。
又、前記固定保持部１０を支持する支持片７ｂには該固定保持部１０の下方位置に、ラベル保持部６に排出されるラベルの有無を検出するラベル検出センサ２７が設置されている。
【００２６】
そして、前記回動軸１９を中心として上下揺動可能なラベル保持部６は、弾性部材２１で常時初期位置（規制手段の上限位置）に付勢されている。
前記弾性部材２１は、正面視略コの字型に屈曲形成した板バネで、その板バネの開口側がラベル排出方向と対向させて配置され、該板バネの短片２１ａが前記固定枠７の支持片７ｂ、７ｂ’にネジ止め固定され、長片２１ｂは前記支持軸１６に向けて突出され、該長片２１ｂの先部は前記支持軸１６の下側周面に弾圧掛止されている。それにより、前記支持軸１６は弾性部材（板バネ）２１の弾発力で常時上方に付勢され、前記規制手段２０の上部に当接係合されている。
【００２７】
アプリケータ８は、前記ラベル保持部６に保持された印字済みのラベル１ｂ’を吸着保持する吸着部８ａと、その吸着部を被貼付対象物Ｗの位置まで移動させて該吸着部が吸着保持するラベル１ｂ’を被貼付対象物Ｗに押し付けて貼付する移動部（横移動、上下移動等）８ｂとで構成されている。アプリケータ８の詳細については、特開平９−３２３７２０号公報参照。
【００２８】
以上のように構成したラベル貼付装置によれば、ラベルロールセット部２に回転可能に装着したラベル用紙（ラベルロール）１を、印字手段３のプラテンローラ３ａの駆動により引き出し、サーマルヘッドによって印字を行い、印字済みのラベル１ｂ’は台紙１ａに貼付されたまま剥離部材４側に送られ、該剥離部材４の外周面に沿って鋭角に折り返され、台紙１ａは台紙巻き取り軸５の駆動回転によって該台紙巻取り軸５に強制的に巻き取られる。そして、前記印字済みのラベル１ｂ’が貼付された台紙１ａが剥離部材４で折り返されることで、印字済みのラベル１ｂ’は台紙１ａから剥離されてラベル発行口から排出され、剥離部材４の前方に配置されたラベル保持部６の接触部材１３上に移乗し、保持される。
台紙から剥離して排出されるラベル１ｂ’を保持するラベル保持部６は、固定保持部１０と可動保持部１１でラベル１ｂ’の幅方向側部を保持する。その為、可動保持部１１は印字発行されるラベルが変更されるたびに、ラベルの幅寸法に応じて予め移動調整する。
【００２９】
前記ラベル１ｂ’が印字発行されると、アプリケータ８の吸着部８ａが移動部８ｂによって、ラベル保持部６に保持されているラベル１ｂ’の直上に移動される。そして、吸着部８ａは次に移動部８ｂによって略垂直に降下され、ラベル保持部６に保持されているラベル１ｂ’を押圧する。それにより、ラベル１ｂ’を保持したラベル保持部６は回動軸１９を中心として該ラベル保持部６の後端側（剥離部材寄り）が下方に押下げられる。その結果、台紙１ａから剥離されるラベル１ｂ’の糊切れが悪く、該ラベル１ｂ’の後端側が台紙から剥離されずに付着したままであっても、前記ラベル保持部６の下方への移動と一緒にラベル１ｂ’も前記吸着部８ａで押えられて移動されるため、台紙１ａに付着する該ラベル１ｂ’の後端側は台紙から引き剥がされ、完全に剥離される。
そして、アプリケータ８の吸着部８ａがラベル１ｂ’を吸着して上昇し、ラベル保持部６から離れると、前記ラベル保持部６は弾性部材２１の弾発力で上方（初期位置）に押上げられ、次のラベル保持のために初期位置に復帰待機する。
ラベル１ｂ’を吸着した吸着部８ａは移動部８ｂの作動によって被貼付対象物Ｗの直上まで移動され、次に略垂直に降下して前記ラベル１ｂ’を被貼付対象物Ｗに貼付する。ラベル１ｂ’の貼付を完了したアプリケータ８は初期位置に復帰し、次のラベル貼付に備える。
【００３０】
台紙から剥離されたラベルを保持するラベル保持部６の上下揺動、及びラベル保持部６を初期位置に復帰させる構造は、上記した実施の形態に限らず、図６に示す構造としてもよい。
（ａ）図は、ラベル保持部６を上下揺動可能に支持する回動軸１９の位置を、該ラベル保持部６のラベル排出方向に沿った前後の重量バランスが、該回動軸を境として前側＞後側となる位置に配置する。それにより、通常は前記重量バランスによって後方側が上方に跳ね上がっており、アプリケータの下降で押下げられ、アプリケータが離れれば重量バランスにより初期位置に自動的に復帰する。
（ｂ）図は、ラベル保持部６を軸によって揺動可能に支持することなく、コイルスプリング等の弾性部材２３のみで支持し、アプリケータ８のラベル吸着動作に伴う押圧力で下方に移動し、アプリケータ８の離反により弾性部材２３の弾発力で初期位置に復帰する。
（ｃ）図は、ラベル保持部６を電磁ソレノイド２４で支持し、該電磁ソレノイド２４の作動でラベル保持部を強制的に揺動させ、ラベルを台紙から剥離させてもよい。
（ｄ）図は、ラベル保持部６を上下方向のみならず、ラベル排出方向にも揺動（移動）するようにしたもので、例えば、図示のようにラベル排出方向に沿って前方下向きの案内手段２５を設け、且つラベル保持部６を前記案内手段２５に沿って移動させる駆動源（例えば電磁ソレノイド、エアーアクチュエータ等）２６を配置する。ラベル保持部６の上下及びラベル排出方向への移動によって台紙からラベルを剥離する。そして、この場合は、アプリケータ８が下降してラベルを吸着後、そのままラベルの排出方向に僅か水平移動し、その後上昇するアプリケータの動作に追従させることができ、台紙からラベルを更に確実に剥離することが可能となる。
尚、ラベル排出方向への移動は、前示実施例及び図６の（ａ）図〜（ｃ）図に示す構成にも付加することは可能である。
又、固定枠７の支持片７ｂ'側には図２〜図４に示すように、台紙から剥離されて排出されるラベルをラベル保持部６へ案内する案内部材２８が前記固定保持部１０の上面と間隔をおいて取り付けられている。
【００３１】
本発明は図示した実施の形態に限定されるものではなく、本発明の要旨を変更しない範囲で適宜変更可能である。
（１）アプリケータは、ラベルを吸着する吸着部と、その吸着部を被貼付対象物の位置まで移動させる移動部を備えたものであればよく、その形態は問わない。
（２）ラベル保持部を初期位置へ復帰させる弾性部材は、板バネ、コイルスプリングに限らず、蛇腹筒、ゴム材等でもよい。
（３）図示の実施の形態は、印字手段を備えたラベル貼付装置であるが、印字手段を備えないラベル貼付装置でもよい。
【図面の簡単な説明】
【００３２】
【図１】本発明に係るラベル貼付装置をストレッチ包装機に取り付けた状態を示す正面図。
【図２】要部を拡大して示す一部切欠側面図。
【図３】同平面図。
【図４】ラベル保持部の構成を示す拡大斜視図。
【図５】ラベル保持部の揺動及び初期位置への復帰構造を示す縦断側面図。
【図６】ラベル保持部の他の揺動構造を示す概略図。
【符号の説明】
【００３３】
Ｂ…ラベル貼付装置                  Ｗ…被貼付対象物
１…ラベル用紙（ラベルロール）    １ａ…台紙
１ｂ…ラベル                      １ｂ’…印字済みラベル
４…剥離部材                        ６…ラベル保持部
７…固定枠                          ８…アプリケータ
１３…接触部材                      １９…回動軸
２０…揺動範囲規制手段              ２１…弾性部材
【図１】
0005125350.tif 000002
【図２】
0005125350.tif 000003
【図３】
0005125350.tif 000004
【図４】
0005125350.tif 000005
【図５】
0005125350.tif 000006
【図６】
0005125350.tif 000007